(57)【要約】      （修正有）【課題】自動取引装置への売上金の入金に対する小売店の店主の不安を解消する手段を提供する。【解決手段】所有者を示す顧客識別子を記録した取引カードの顧客識別子を読取るカード取扱部と、再利用に用いる紙幣を収納する紙幣収納庫１７と、出金取引におけるリジェクト紙幣を収納する出金リジェクト庫１８とを有する紙幣入出金部１０とを備え小売店に設置された自動取引装置において、小売店の店主が所有する取引カードの顧客識別子を記憶部に格納しておき、顧客との入金取引の場合に、カード取扱部で読取った取引カードの顧客識別子と、記憶部に格納されている顧客識別子とが一致したときは、入金された紙幣を出金リジェクト庫１８へ収納する。【選択図】図３
2010176642.tif 000002
【特許請求の範囲】
【請求項１】
所有者を示す顧客識別子を記録した取引カードの前記顧客識別子を読取るカード取扱部と、
再利用に用いる紙幣を収納する紙幣収納庫と、出金取引におけるリジェクト紙幣を収納する出金リジェクト庫とを有する紙幣入出金部と、を備え小売店に設置された自動取引装置において、
前記小売店の店主が所有する取引カードの前記顧客識別子を記憶部に格納しておき、
顧客との入金取引の場合に、前記カード取扱部で読取った取引カードの顧客識別子と、前記記憶部に格納されている顧客識別子とが一致したときは、入金された紙幣を前記出金リジェクト庫へ収納することを特徴とする自動取引装置。
【請求項２】
請求項１において、
前記取引カードの顧客識別子と、前記記憶部の顧客識別子とが一致したときに、入金される紙幣の再利用の要否を選択可能に表示した再利用要否選択画面を表示し、
前記再利用要否選択画面から再利用の必要が選択されたときは、入金された紙幣を前記紙幣収納庫へ収納し、
前記再利用要否選択画面から再利用の不要が選択されたときは、入金された紙幣を前記出金リジェクト庫へ収納することを特徴とする自動取引装置。
【請求項３】
請求項２において、
前記取引カードの顧客識別子と、前記記憶部の顧客識別子とが一致したときに、入金される紙幣の、再利用に用いる紙幣と再利用に用いない紙幣との分別投入の要否を選択可能に表示した分別投入要否選択画面を表示し、
前記分別投入要否選択画面から分別投入の不要が選択されたときは、前記再利用要否選択画面を表示し、
前記分別投入要否選択画面から分別投入の必要が選択されたときは、先に再利用に用いる紙幣を投入させて当該紙幣を前記紙幣収納庫へ収納し、続いて再利用に用いない紙幣を投入させて当該紙幣を前記出金リジェクト庫へ収納することを特徴とする自動取引装置。
【発明の詳細な説明】
【技術分野】
【０００１】
本発明は、デパートや書店、コンビニエンスストア等の小売店の自動機コーナに設置される自動取引装置に関する。
【背景技術】
【０００２】
近年、コンビニエンスストア等の小売店に自動取引装置が設置され、金融機関の店舗に出向かなくても、この小売店に設置された自動取引装置によって顧客は入金取引や出金取引、振込取引等が手軽に行えるため、顧客の利便性の向上に寄与している。
また、自動取引装置を設置している小売店の店主も、この自動取引装置を利用して自己の小売店の売上金を入金することにより、金融機関の夜間金庫サービス等を利用する際に発生する使用料を節約することができるだけでなく、自動取引装置からの出金紙幣として再利用することも可能になる。
【０００３】
このような場合に、従来の小売店に設置された自動取引装置は、小売店の店主が売上金の入金を行う場合に、出金用の紙幣を金種別に収納する紙幣収納庫の空き容量を確認し、空き容量がある場合は、顧客が入金取引を選択すると、カードの読取りが行われ、挿入されたカードが店主カードと判別されなかった場合は、一般の利用者が入金した紙幣を所定の紙幣収納庫に収納し、カードが店主カードと判別され、売上金入金が選択された場合は、入金処理の入金限度額をアップさせ、売上金が投入されると、その紙幣を計数して入金金額を確認させ、入金金額が確認されると、紙幣を所定の紙幣収納庫に収納して、紙幣の再利用を可能にしている（例えば、特許文献１参照。）。
【先行技術文献】
【特許文献】
【０００４】
【特許文献１】特開２００５−３１７７３号公報（主に、段落００３３−００３７、第１図、第９図）
【発明の概要】
【発明が解決しようとする課題】
【０００５】
一般に、小売店のレジスタで紙幣による支払いが行われるときには、真券ではあるが汚損の程度や欠損の程度が過大な紙幣、切れ目のある紙幣を用いて支払いが行われる場合があり、小売店のレジ担当者等は前記の紙幣による支払いは受付けるが、その紙幣を釣銭等として用いないように心掛けている場合が多い。
このため小売店の売上金の中には、真券ではあるが汚損の程度や欠損の程度が過大な紙幣、切れ目のある紙幣等の再利用に用いることが不適当な紙幣（再利用不適損券という。）が混在している場合がある。
【０００６】
しかしながら、上述した従来の技術においては、一般の利用者の場合も、売上金入金の場合も、入金された紙幣は紙幣収納庫に収納され、その紙幣が再利用されるため、売上金に再利用不適損券が含まれている場合には、その紙幣が自動取引装置の利用者に払出されてしまう場合があるという問題が生ずる。
このため、一般に自動取引装置を用いた紙幣による出金取引の場合は、紙幣入出金部に設けられた鑑別部で顧客に出金する紙幣を鑑別して、その紙幣が再利用不適損券と鑑別された場合は、顧客に払出さずに、出金リジェクト庫に搬送して収納している。
【０００７】
しかしながら、再利用不適損券の内の切れ目のある紙幣の中には、紙幣の折れ線に沿って切れ目があり、かつその切れ目が正確に合わさっている紙幣が存在し、このような紙幣は人であれば容易に判定することができるが、鑑別部の場合は折れ線のみであるか、折れ線に沿って切れ目が存在するかの鑑別は容易でないため、折れ線のみと鑑別されて支払われてしまう場合があり、これが顧客に払出されてしまうと、顧客からの苦情がよせられる場合がある。
【０００８】
そのため、小売店の店主は、売上金を自動取引装置へ入金する際に、前記の切れ目のある紙幣等のように、鑑別できない可能性のある紙幣（鑑別不能損券という。）を含む可能性のある売上金の入金を躊躇し、鑑別不能損券を含む再利用不適損券を分別して再利用可能な紙幣のみを入金することになり、分別された再利用不適損券は、レジスタ等でも用いることもできないため、顧客との取引に用いることができない紙幣として手元に残ってしまうという問題がある。
【０００９】
本発明は、上記の問題点を解決するためになされたもので、自動取引装置への売上金の入金に対する小売店の店主の不安を解消する手段を提供することを目的とする。
【課題を解決するための手段】
【００１０】
本発明は、上記課題を解決するために、所有者を示す顧客識別子を記録した取引カードの前記顧客識別子を読取るカード取扱部と、再利用に用いる紙幣を収納する紙幣収納庫と、出金取引におけるリジェクト紙幣を収納する出金リジェクト庫とを有する紙幣入出金部と、を備え小売店に設置された自動取引装置において、前記小売店の店主が所有する取引カードの前記顧客識別子を記憶部に格納しておき、顧客との入金取引の場合に、前記カード取扱部で読取った取引カードの顧客識別子と、前記記憶部に格納されている顧客識別子とが一致したときは、入金された紙幣を前記出金リジェクト庫へ収納することを特徴とする。
【発明の効果】
【００１１】
これにより、本発明は、売上金に鑑別不能損券が混在していたとしても、鑑別不能損券が再利用されて顧客に払出されることはなく、小売店の店主の売上金の入金に対する不安を解消することができるという効果が得られる。
【図面の簡単な説明】
【００１２】
【図１】実施例１の自動取引装置を示すブロック図
【図２】実施例１の自動取引装置の外観を示す説明図
【図３】実施例１の紙幣入出金部の内部構成を示す概略側面図
【図４】実施例１の入金取引における売上金入金処理を示すフローチャート
【図５】実施例２の入金取引における売上金入金処理を示すフローチャート
【図６】実施例２の再利用要否選択画面の表示例を示す説明図
【図７】実施例３の入金取引における売上金入金処理を示すフローチャート
【図８】実施例３の入金取引における売上金入金処理を示すフローチャート
【図９】実施例３の分別入金要否選択画面の表示例を示す説明図
【図１０】実施例３の再利用紙幣投入画面の表示例を示す説明図
【図１１】実施例３の投入金額確認画面の表示例を示す説明図
【図１２】実施例３の非利用紙幣投入画面の表示例を示す説明図
【発明を実施するための形態】
【００１３】
以下に、図面を参照して本発明による自動取引装置の実施例について説明する。
【実施例１】
【００１４】
図１、図２において、１は自動取引装置であり、デパートや書店、コンビニエンスストア等の小売店の自動機コーナ等に設置され、小売店の店主や一般の利用客との間での紙幣による取引処理を自動で行う機能を有している。
２は金融機関のセンタに設置された上位装置としてのホストコンピュータであり、小売店に設置された自動取引装置１と、専用回線や電話回線等の通信回線３を介して接続しており、口座開設者である店主および一般の利用客（これらを総称する場合は顧客という。）を個別に識別するための顧客識別子としての顧客ＩＤに対応させて顧客の口座の口座番号等の口座情報やその暗証番号、口座残高等の顧客情報を保有して顧客の口座を管理する。
【００１５】
５は自動取引装置１の制御部であり、通信回線３を介してホストコンピュータ２と接続しており、自動取引装置１内の各部を制御して入金取引や出金取引等の取引処理等を実行すると共にデータ通信等も制御する。
６は自動取引装置１の記憶部であり、制御部５が実行するプログラムやそれに用いる各種のデータおよび制御部５による処理結果等が格納される。
【００１６】
７は表示部であり、ＬＣＤやＣＲＴ等の表示画面を備えており、取引選択画面や出金金額等の入力画面、取引の誘導画面等を表示する機能を有している。
８は入力部であり、テンキー等の入力キー８ａと、表示画面に設けられたタッチパネル８ｂとで構成され、顧客が取引の選択や取引内容の確認、取引金額等の入力を行うために使用する。
【００１７】
９はカード取扱部であり、カード挿入口９ａから挿入された顧客のキャッシュカードやクレジットカード等の取引カードの磁気ストライプやＩＣチップ等に記録されている取引カードの所有者を示す顧客ＩＤ、および金融機関名や口座番号等の顧客の口座情報等のカード情報を読み書きする機能を有すると共に明細票等に取引内容等を印刷するレシートプリンタ等を有している。
【００１８】
１０は紙幣入出金部であり、入金取引時等に入出金口１０ａによって顧客が投入した紙幣を受入れ、これを鑑別および計数して金種別に収納し、出金取引時等に顧客に支払う紙幣を繰出して計数し、入出金口１０ａから排出して顧客に引渡す機能を有しており、図３に示す構成を備えている。
１１はジャーナル記録部であり、ロール紙等のジャーナル用紙に印字する機能を有するジャーナルプリンタを備えており、自動取引装置１による顧客との取引処理の履歴や係員による業務処理の履歴等を印刷して記録する。
【００１９】
１２は電源部であり、自動取引装置１の外部から電力が供給され、自動取引装置１の制御部５や記憶部６、各構成機器に電力を供給する。
図３において、入出金口１０ａは、顧客が投入した紙幣を受入れ、これを１枚毎に分離して搬送路１４ａへ繰出す分離機構、および搬送路１４ｂにより搬送された顧客に引渡す出金紙幣や返却紙幣等を集積する集積機構等を有している。
【００２０】
１５は鑑別部であり、搬送路１４ａまたは１４ｃにより搬送された紙幣の真偽や正損、金種、および重送、連鎖、斜行等の搬送異常等の各種の鑑別をする機能を有しており、その鑑別結果を制御部５へ送出する。
１６は一時保留部であり、入金取引において入出金口１０ａに投入された紙幣で鑑別部１５により真券と鑑別され、取込処理可能と鑑別された紙幣を金種に関わらず集積して一時保留する集積部であって、鑑別部１５から搬送路１４ｃにより搬送された紙幣を集積すると共に、一時保留している紙幣を１枚毎に分離して搬送路１４ｃへ繰出す分離集積機構を有している。
【００２１】
１７は紙幣収納庫であり、出金に用いる紙幣および／もしくは入金された紙幣を金種別に収納する収納庫であって、搬送路１４ｄにより搬送された紙幣を集積して収納すると共に、収納している紙幣を１枚毎に分離して搬送路１４ｄへ繰出す分離集積機構を有している。
本実施例の紙幣収納庫１７は、紙幣収納庫１７ａ〜１７ｃの３つが設けられており、紙幣収納庫１７ａ、１７ｂは再利用に用いる紙幣、例えば１万円紙幣（万券という。他の紙幣において同じ）、千券を金種別に収納するように設定され、紙幣収納庫１７ｃは再利用に用いない紙幣、例えば５千券、２千券を収納するように設定されている。
【００２２】
１８は出金リジェクト庫であり、出金取引時等に紙幣収納庫１７ａ、１７ｂから搬送路１４ｄへ繰出され、搬送路１４ｅ、１４ａにより鑑別部１５へ搬送された紙幣の中で、鑑別部１５により再利用不適損券や搬送異常と鑑別された出金時の出金リジェクト紙幣を収納する収納庫であって、搬送路１４ｃ、１４ｆ、１４ｇにより搬送された紙幣を集積する集積機構を有している。
【００２３】
上記の自動取引装置１の記憶部６には、顧客が選択した取引業務の入力を受付け、これを基にホストコンピュータ２と交信して顧客との間で各種の取引処理業務を実行する機能を有する通常の取引処理プログラムに、図４を用いて説明する売上金入金処理を実行する機能を有するアプリケーションプログラム等が追加された業務実行プログラムが予め格納されており、制御部５が実行する業務実行プログラムのステップにより本実施例の自動取引装置１の各機能手段が形成される。
【００２４】
上記のホストコンピュータ２には、自動取引装置１と交信して本人認証や顧客の口座の入出金を管理する機能等を有する通常の勘定方管理プログラムがインストールされており、ホストコンピュータ２が実行する勘定方管理プログラムのステップにより本実施例のホストコンピュータ２の各機能手段が形成される。
上記の自動取引装置１の記憶部６には、一時保留部１６に集積した紙幣の金種別の取込枚数を金種別に計数するための取込枚数カウントエリア、各紙幣収納庫１７に収納された紙幣の紙幣収納庫別の収納枚数を計数するための収納枚数カウントエリアが予め確保されている。
【００２５】
また、記憶部６には、小売店の店主の顧客ＩＤが予め格納され、各紙幣収納庫１７に収納する紙幣の金種と、出金リジェクト庫１８へ収納する紙幣の種別を指定した収納紙幣設定テーブルが予め設定されて格納されている。
本実施例の収納紙幣設定テーブルには、紙幣収納庫１７ａは万券、紙幣収納庫１７ｂは千券、紙幣収納庫１７ｃは５千券および２千券を収納するように設定され、出金リジェクト庫１８は、出金リジェクト紙幣に加えて、小売店の店主が入金した紙幣を収納するように設定されている。
【００２６】
以下に、図４に示すフローチャートを用い、Ｓで示すステップに従って本実施例の入金取引における売上金入金処理について説明する。
自動取引装置１に電源が投入されると、電源部１２から制御部５や記憶部６、各構成機器に電力が供給され、記憶部６に格納されている業務実行プログラムが自動的に起動される。
【００２７】
Ｓ１、業務実行プログラムが起動すると、自動取引装置１の制御部５は、業務実行プログラムにより表示部７の表示画面に取引選択画面を表示して待機する。
取引選択画面には、入金取引のための「入金」ボタン、出金取引のための「出金」ボタン、振込取引のための「振込」ボタン等の取引を選択するための取引選択ボタンが表示される。
【００２８】
本実施例では、顧客は入金取引を選択し、入力部８のタッチパネル８ｂによって「入金」ボタンを選択する。
制御部５は、タッチパネル８ｂからの出力信号等により顧客の選択した取引を入金取引と認識し、記憶部６の取込枚数カウントエリアの金種別の取込枚数をそれぞれ「０」に初期化してステップＳ２へ移行する。
Ｓ２、顧客の選択した取引を入金取引と認識した制御部５は、表示部７の表示画面に取引カードの挿入を促す旨の文言等を表示したカード挿入画面を表示してステップＳ３へ移行する。
【００２９】
Ｓ３、カード挿入画面を表示した制御部５は、顧客が取引カードをカード取扱部９のカード挿入口９ａに挿入したことを検知する図示しない挿入検知センサの出力信号を監視しながら待機し、挿入検知センサが取引カードの挿入を検知したときに、カード取扱部９によって、取引カードに記録されている顧客ＩＤ、顧客の口座番号等のカード情報を読取ってステップＳ４へ移行する。
【００３０】
挿入検知センサが取引カードの挿入を検知しない場合は、ステップＳ２へ戻ってカード挿入画面を表示しながらステップＳ２、Ｓ３による待機を継続する。
Ｓ４、カード情報を読取った制御部５は、読取ったカード情報を記憶部６に保存すると共に、読取ったカード情報を基に口座確認の交信処理を実行する。
すなわち、制御部５は読取ったカード情報を添付した口座確認依頼を作成し、これを通信回線３を介してホストコンピュータ２へ送信する。
【００３１】
これを受信したホストコンピュータ２は、口座確認依頼のカード情報の顧客ＩＤを基に顧客情報を検索して該当する顧客情報に顧客の口座が存在することを確認し、顧客の口座が存在する旨の確認結果通知を作成し、これを送信元の自動取引装置１へ通信回線３を介して送信する。
確認結果通知を受信した自動取引装置１の制御部５は、交信処理を終了してステップＳ５へ移行する。
【００３２】
なお、顧客の口座が存在しない旨の確認結果通知を受信した場合は、制御部５は、その旨の文言を表示部７の表示画面に表示し、取引カードをカード挿入口９ａから排出して入金取引処理を終了させ、ステップＳ１へ戻って取引選択画面を表示して待機する。
Ｓ５、確認結果通知により顧客の口座が存在することを認識した制御部５は、表示部７の表示画面に、紙幣の投入を促す旨の文言等を表示した紙幣投入画面を表示し、紙幣入出金部１０の入出金口１０ａのシャッタを開放してステップＳ６へ移行する。
【００３３】
Ｓ６、紙幣投入画面を表示した制御部５は、顧客が紙幣を入出金口１０ａへ投入したことを入出金口１０ａに設けられた図示しない投入検知センサが検知するのを待って待機し、投入検知センサが紙幣の投入を検知した後に、所定の時間の経過を確認したときに、紙幣が投入されたことを判定してステップＳ７へ移行する。
投入検知センサが紙幣の投入を検知しない場合は、ステップＳ５へ戻って紙幣投入画面を表示しながらステップＳ５、Ｓ６による待機を継続する。
【００３４】
Ｓ７、紙幣が投入されたことを判定した制御部５は、入出金口１０ａのシャッタを閉鎖して紙幣取込処理を実行する。
すなわち、制御部５は、入出金口１０ａから投入紙幣を１枚分離して繰出し、搬送路１４ａにより鑑別部１５へ搬送して鑑別部１５でその紙幣の金種、真偽等を鑑別し、その鑑別結果が真券のときは、その紙幣を金種に関わらず搬送路１４ｃにより一時保留部１６へ搬送して集積し、鑑別結果に基づいて記憶部６の取込枚数カウントエリアの当該金種のカウント数に「１」を加えて当該金種の取込枚数を更新する。
【００３５】
この場合に、鑑別結果が偽券や外国紙幣、金種を鑑別することができない紙幣等の入金時の入金リジェクト紙幣のときは、その紙幣を顧客に返却するために搬送路１４ｃ、１４ｂにより入出金口１０ａへ搬送して集積し、顧客に返却する。
そして、制御部５は、入出金口１０ａから繰出す投入紙幣が存在しなくなったときに、紙幣取込処理の終了を判定してステップＳ８へ移行する。
【００３６】
Ｓ８、取込処理の終了を判定した制御部５は、記憶部６の取込枚数カウントエリアの金種別の取込枚数を読出し、その金種別の取込枚数から算出した入金金額、および入金金額の確認を指示するための「確認」ボタン、入金取引を中止して取込んだ紙幣の返却を指示するための「取消」ボタンを表示した入金金額確認画面を表示する。
顧客は、入力部８のタッチパネル８ｂによって、入金金額の確認を指示するときは「確認」ボタンを、入金リジェクト紙幣等が多い等の理由により入金取引の中止を指示するときは「取消」ボタンを選択する。
【００３７】
Ｓ９、制御部５は、顧客が「確認」ボタンを選択したときは、入金金額が確認されたことを判定してステップＳ１２へ移行する。
顧客が「取消」ボタンを選択したときは、取込んだ紙幣の返却を判定してステップＳ１０へ移行する。
Ｓ１０、入金取引の中止を判定した制御部５は、顧客が投入した紙幣の紙幣返却処理を実行する。
【００３８】
すなわち、制御部５は、一時保留部１６に集積されている紙幣を繰出して搬送路１４ｂにより入出金口１０ａへ搬送して集積し、一時保留部１６に取込んだ全ての紙幣を入出金口１０ａに集積したことを確認してステップＳ１１へ移行する。
Ｓ１１、顧客に返却する紙幣の入出金口１０ａへの集積を終えた制御部５は、表示部７の表示画面に、紙幣や取引カードの受取りを促す旨の文言を表示し、取引カードをカード取扱部９のカード挿入口９ａから排出すると共に入出金口１０ａのシャッタを開放する。
【００３９】
その後、制御部５は顧客がこれらを受取ったことを確認し、入出金口１０ａのシャッタを閉鎖して入金取引の終了を判定し、ステップＳ１７へ移行する。
Ｓ１２、入金金額が確認されたことを判定した制御部５は、記憶部６に格納されている店主の顧客ＩＤとカード情報を読出してこれらを比較し、記憶部６の顧客ＩＤとカード情報の顧客ＩＤとが一致したときは、顧客を自動取引装置１が設置されている小売店の店主と判定してステップＳ１４へ移行する。
【００４０】
記憶部６の顧客ＩＤとカード情報の顧客ＩＤとが不一致のときは、顧客を一般の利用客と判定してステップＳ１３へ移行する。
Ｓ１３、一般の利用客が入金金額を確認したことを判定した制御部５は、利用客が入金した紙幣の紙幣収納処理を実行する。
すなわち、制御部５は、一時保留部１６に集積されている紙幣を繰出して搬送路１４ｃにより鑑別部１５へ搬送し、鑑別部１５で鑑別された金種を基に、記憶部６の収納紙幣設定テーブルを参照して当該金種が指定された収納先の紙幣収納庫１７（例えば、鑑別された紙幣が千券であれば紙幣収納庫１７ｂ）を特定し、当該紙幣を搬送路１４ａ、１４ｅ、１４ｄにより収納先の紙幣収納庫１７へ搬送して当該紙幣を収納し、記憶部６の収納枚数カウントエリアの収納先の紙幣収納庫１７のカウント数に「１」を加えてその紙幣収納庫１７の収納枚数を更新する。
【００４１】
そして、一時保留部１６の紙幣を、全て紙幣収納庫１７に金種別に収納したことを確認してステップＳ１５へ移行する。
Ｓ１４、小売店の店主が入金金額を確認したことを判定した制御部５は、小売店の店主が入金した紙幣の紙幣収納処理を実行する。
すなわち、制御部５は、記憶部６の収納紙幣設定テーブルを参照して、小売店の店主が入金した紙幣の収納先を出金リジェクト庫１８と特定し、一時保留部１６に集積されている紙幣を繰出して搬送路１４ｃ、１４ｆ、１４ｇにより出金リジェクト庫１８へ搬送して収納する。
【００４２】
そして、一時保留部１６の紙幣を、全て出金リジェクト庫１８に収納したことを確認してステップＳ１５へ移行する。
Ｓ１５、入金された紙幣の収納処理を終えた制御部５は、取引カードへの書込情報をカード取扱部９へ送って取引カードへ書込み、明細票への取引内容の印字情報をカード取扱部９へ送って明細票に印字し、表示部７の表示画面に明細票や取引カードの受取りを促す旨の文言を表示して、取引カードや明細票をカード取扱部９のカード挿入口９ａから排出し、顧客がこれらを受取ったことを確認してステップＳ１６へ移行する。
【００４３】
Ｓ１６、取引カード等の受取りを確認した制御部５は、ホストコンピュータ２との入金取引の交信処理を実行するために、記憶部６に保存した取引カードのカード情報に確認された入金金額等を添付した取引電文を通信回線３を介してホストコンピュータ２へ送信し、入金取引の終了を判定してステップＳ１７へ移行する。
この場合に、取引電文を受信したホストコンピュータ２は、カード情報を基に顧客情報を検索して該当する顧客情報の口座に確認された入金金額を加えて顧客情報の口座残高を更新する。
【００４４】
Ｓ１７、入金取引の終了を判定した制御部５は、取引内容の取引履歴情報をジャーナル記録部１１へ送ってジャーナル用紙に印字し、入金取引を終了させてステップＳ１へ戻り、取引選択画面を表示して待機する。
このようにして、本実施例の入金取引における売上金入金処理が実行される。
上記のように、本実施例の売上金入金処理においては、自動取引装置１が設置されている小売店の店主による入金取引の場合は、再利用されることのない出金リジェクト庫１８に入金した売上金を全て収納するので、売上金に鑑別不能損券が混在していたとしても、鑑別不能損券が再利用されて顧客に払出されることはなく、小売店の店主の売上金の入金に対する不安を解消することができると共に、鑑別不能損券を含む再利用不適損券等の分別作業を不要にして、店主やレジ担当者等の負担を軽減することができる。
【００４５】
このことは、大都市等の金融機関の自動取引装置への対応の迅速性が確保された地域の小売店に設置された自動取引装置の場合に、特に有効である。
また、通常万券は釣銭として用いられることがなく、売上金には万券が比較的多く含まれているので、これを紙幣収納庫１７に収納して再利用すると、万券を収納する紙幣収納庫１７ａがフルになって、一般の利用客による入金取引を停止しなければならない事態が生ずる場合があり、このような事態を回避するためにも、本実施例の売上金入金処理は有効である。
【００４６】
以上説明したように、本実施例では、自動取引装置が設置されている小売店の店主による入金取引の場合に、取引カードのカード情報によって顧客が小売店の店主と判定された場合は、入金された紙幣を全て出金リジェクト庫に収納するので、売上金に鑑別不能損券が混在していたとしても、鑑別不能損券が再利用されて顧客に払出されることはなく、小売店の店主の売上金の入金に対する不安を解消することができる。
【実施例２】
【００４７】
本実施例の説明においては、上記実施例１と同様の部分は、同一の符号を付してその説明を省略する。
本実施例の自動取引装置１の記憶部６には、上記実施例１と同様の通常の取引処理プログラムに、図５を用いて説明する売上金入金処理を実行する機能を有するアプリケーションプログラム等が追加された業務実行プログラムが予め格納されており、制御部５が実行する業務実行プログラムのステップにより本実施例の自動取引装置１の各機能手段が形成される。
【００４８】
本実施例のホストコンピュータ２には、上記実施例１と同様の通常の勘定方管理プログラムがインストールされており、ホストコンピュータ２が実行する勘定方管理プログラムのステップにより本実施例のホストコンピュータ２の各機能手段が形成される。
本実施例の自動取引装置１の記憶部６には、上記実施例１と同様の取込枚数カウントエリア、収納枚数カウントエリアが予め確保されている。
【００４９】
また、記憶部６には、小売店の店主の顧客ＩＤが予め格納され、上記実施例１と同様の収納紙幣設定テーブルが予め設定されて格納されている。
本実施例の収納紙幣設定テーブルには、各紙幣収納庫１７に収納する紙幣の金種は上記実施例１と同様に設定され、出金リジェクト庫１８は、出金リジェクト紙幣に加えて、小売店の店主が再利用の不要を選択したときに入金した紙幣を収納するように設定されている。
【００５０】
以下に、図５に示すフローチャートを用い、ＳＡで示すステップに従って本実施例の入金取引における売上金入金処理について説明する。
本実施例のステップＳＡ１〜ＳＡ１１の作動は、上記実施例１のステップＳ１〜Ｓ１１の作動と同様であるので、その説明を省略する。
ＳＡ１２、入金金額が確認されたことを判定した制御部５は、上記実施例１のステップＳ１２と同様にして、記憶部６の店主の顧客ＩＤとカード情報の顧客ＩＤとを比較し、記憶部６の顧客ＩＤとカード情報の顧客ＩＤとが一致したときは、顧客を自動取引装置１が設置されている小売店の店主と判定してステップＳＡ１３へ移行する。
【００５１】
記憶部６の顧客ＩＤとカード情報の顧客ＩＤとが不一致のときは、顧客を一般の利用客と判定してステップＳＡ１５へ移行する。
ＳＡ１３、小売店の店主が入金金額を確認したことを判定した制御部５は、表示部７の表示画面に、入金する紙幣の再利用の要否を選択するための図６に示す再利用要否選択画面を表示する。
【００５２】
再利用要否選択画面には、入金する紙幣の再利用の要否を問合せる旨の文言、再利用の必要を選択するための「はい」ボタン、再利用の不要を選択するための「いいえ」ボタン、入金取引を中止して紙幣の返却を指示するための「取消」ボタン等が表示される。
小売店の店主は、入力部８のタッチパネル８ｂによって、予め分別した再利用に用いる紙幣（再利用紙幣という。）を入金する場合は「はい」ボタンを、予め分別した再利用不適損券等の再利用に用いない紙幣（非利用紙幣という。）または分別していない売上金の紙幣を入金する場合は「いいえ」ボタンを、入金取引の中止を指示するときは「取消」ボタンを選択する。
【００５３】
ＳＡ１４、制御部５は、顧客が「はい」ボタンを選択したときは、小売店の店主が再利用の必要を選択したことを判定してステップＳＡ１５へ移行する。
顧客が「いいえ」ボタンを選択したときは、小売店の店主が再利用の不要を選択したことを判定して、ステップＳＡ１６へ移行する。
なお、小売店の店主が「取消」ボタンを選択した場合は、制御部５は入金取引の中止を判定してステップＳＡ１０へ移行し、ステップＳＡ１０、ＳＡ１１による紙幣返却処理を実行する。
【００５４】
ＳＡ１５、一般の利用客が入金金額を確認したこと、または小売店の店主が再利用の必要を選択したことを判定した制御部５は、上記実施例１のステップＳ１３と同様にして、入金された紙幣を紙幣収納庫１７に金種別に収納する紙幣収納処理を実行する。
ＳＡ１６、小売店の店主が入金金額を確認確認したこと、および再利用の不要を選択したことを判定した制御部５は、上記実施例１のステップＳ１４と同様にして、小売店の店主が入金した紙幣を出金リジェクト庫１８に収納する紙幣収納処理を実行する。
【００５５】
その後のステップＳＡ１７〜ＳＡ１９の作動は、上記実施例１のステップＳ１５〜Ｓ１７の作動と同様であるので、その説明を省略する。
このようにして、本実施例の入金取引における売上金入金処理が実行される。
上記のように、本実施例の売上金入金処理においては、自動取引装置１が設置されている小売店の店主による入金取引の場合に、店主の意思により、入金取引に用いた紙幣を再利用するか否かを決定することができ、店主が入金する紙幣の再利用の不要を選択した場合は、上記実施例１と同様に、再利用されることのない出金リジェクト庫１８に入金した売上金を全て収納するので、売上金に鑑別不能損券が混在していたとしても、鑑別不能損券が再利用されて顧客に払出されることはなく、小売店の店主の売上金の入金に対する不安を解消することができると共に、鑑別不能損券を含む再利用不適損券等の分別作業を不要にして、店主やレジ担当者等の負担を軽減することができる。
【００５６】
また、店主が入金する紙幣の再利用の必要を選択した場合は、入金した紙幣を各紙幣収納庫１７へ収納するので、小売店の店主等が分別した再利用可能な紙幣を、通常の入金取引と同様に再利用することが可能になり、出金紙幣の不足に至る時間間隔を拡大して、紙幣の補充回数や回収回数の低減を図ることができる。
このことは、地方の市町村等の金融機関の自動取引装置への対応の迅速性に欠ける地域の小売店に設置された自動取引装置の場合に、特に有効である。
【００５７】
なお、本実施例では、非利用紙幣は、予め分別した再利用不適損券であるとして説明したが、非利用紙幣は前記に限らず、再利用が可能な紙幣を含むものであってもよい。
例えば、千券を収納する紙幣収納庫１７ｂがニアフル状態の場合等に、再利用が可能な千券を再利用紙幣として投入せずに非利用紙幣として投入すれば、通常千券は、出金取引の出金紙幣として用いられる機会は少なく、再利用紙幣として売上金に含まれる多量の千券を投入してしまうと、千券を収納する紙幣収納庫１７ｂがフルになって、一般の利用客による入金取引を停止しなければならない事態が生ずるからである。
【００５８】
また、上記実施例１で説明したように、売上金には万券が比較的多く含まれているので、これを再利用すると、万券を収納する紙幣収納庫１７ａがフルになって、一般の利用客による入金取引を停止しなければならない事態が生ずることになる。
本実施例の売上金入金処理においては、小売店の店主の意思で、入金取引に用いた紙幣を再利用するか否かを決定することができるので、前記のような事態を容易に回避することができる。
【００５９】
以上説明したように、本実施例では、上記実施例１と同様の効果に加えて、自動取引装置が設置されている小売店の店主による入金取引の場合に、入金される紙幣の再利用の要否を選択可能に表示した再利用要否選択画面を表示し、再利用の必要が選択されたときは、入金された紙幣を紙幣収納庫へ収納するので、小売店の店主等が分別した再利用可能な紙幣を、通常の入金取引と同様に再利用することが可能になり、出金紙幣の不足に至る時間間隔を拡大して、紙幣の補充回数や回収回数の低減を図ることができる。
【実施例３】
【００６０】
本実施例の説明においては、上記実施例１および実施例２と同様の部分は、同一の符号を付してその説明を省略する。
本実施例の自動取引装置１の記憶部６には、上記実施例１と同様の通常の取引処理プログラムに、図７、図８を用いて説明する売上金入金処理を実行する機能を有するアプリケーションプログラム等が追加された業務実行プログラムが予め格納されており、制御部５が実行する業務実行プログラムのステップにより本実施例の自動取引装置１の各機能手段が形成される。
【００６１】
本実施例のホストコンピュータ２には、上記実施例１と同様の通常の勘定方管理プログラムがインストールされており、ホストコンピュータ２が実行する勘定方管理プログラムのステップにより本実施例のホストコンピュータ２の各機能手段が形成される。
本実施例の自動取引装置１の記憶部６には、上記実施例１と同様の取込枚数カウントエリア、収納枚数カウントエリアが予め確保されている。
【００６２】
また、記憶部６には、小売店の店主の顧客ＩＤが予め格納され、上記実施例１と同様の収納紙幣設定テーブルが予め設定されて格納されている。
本実施例の収納紙幣設定テーブルには、各紙幣収納庫１７に収納する紙幣の金種は上記実施例１と同様に設定され、出金リジェクト庫１８は、出金リジェクト紙幣に加えて、小売店の店主が再利用の不要を選択したとき、および出金に用いない非利用紙幣を投入したときに入金した紙幣を収納するように設定されている。
【００６３】
以下に、図７、図８に示すフローチャートを用い、ＳＢ、ＳＣで示すステップに従って本実施例の入金取引における売上金入金処理について説明する。
本実施例のステップＳＢ１〜ＳＢ４の作動は、上記実施例１のステップＳ１〜Ｓ４の作動と同様であるので、その説明を省略する。
ＳＢ５、確認結果通知により顧客の口座が存在することを認識した制御部５は、上記実施例１のステップＳ１２と同様にして、記憶部６の店主の顧客ＩＤとカード情報の顧客ＩＤとを比較し、記憶部６の顧客ＩＤとカード情報の顧客ＩＤとが一致したときは、顧客を自動取引装置１が設置されている小売店の店主と判定してステップＳＢ６へ移行する。
【００６４】
記憶部６の顧客ＩＤとカード情報の顧客ＩＤとが不一致のときは、顧客を一般の利用客と判定してステップＳＢ８へ移行する。
ＳＢ６、顧客を自動取引装置１が設置されている小売店の店主と判定した制御部５は、表示部７の表示画面に、入金する紙幣を、再利用に用いる紙幣（再利用紙幣）と、再利用に用いない紙幣（非利用紙幣）とに分別して投入する（分別投入という。）ことの要否を選択するための図９に示す分別投入要否選択画面を表示する。
【００６５】
分別投入要否選択画面には、分別投入の要否を問合せる旨の文言、分別投入の必要を選択するための「はい」ボタン、分別投入の不要を選択するための「いいえ」ボタン、入金取引の中止を指示するための「取消」ボタン等が表示される。
小売店の店主は、入力部８のタッチパネル８ｂによって、分別投入を行う場合は「はい」ボタンを、分別投入を行わない場合は「いいえ」ボタンを、入金取引の中止を指示するときは「取消」ボタンを選択する。
【００６６】
ＳＢ７、制御部５は、顧客が「はい」ボタンを選択したときは、小売店の店主が分別投入を行うことを判定して接続子Ｃを介して図８のステップＳＣ１へ移行する。
顧客が「いいえ」ボタンを選択したときは、小売店の店主が分別投入を行わないことを判定してステップＳＢ８へ移行する。
なお、小売店の店主が「取消」ボタンを選択した場合は、制御部５は入金取引の中止を判定してステップＳＢ２２へ移行し、ジャーナル記録部１１により取引内容の取引履歴情報をジャーナル用紙に印字して入金取引を終了させ、ステップＳＢ１へ戻って取引選択画面を表示して待機する。
【００６７】
ＳＢ８、顧客を一般の利用客と判定した、または小売店の店主が分別投入を行わないことを判定した制御部５は、上記実施例１のステップＳ５と同様にして、表示部７に紙幣投入画面を表示し、紙幣入出金部１０の入出金口１０ａのシャッタを開放してステップＳＢ９へ移行する。
その後のステップＳＢ９〜ＳＢ２２の作動は、上記実施例２のステップＳＡ６〜ＳＡ１９の作動と同様であるので、その説明を省略する。
【００６８】
ＳＣ１、小売店の店主が分別投入を行うことを判定し、図７のステップＳＢ７から接続子Ｃを介して移行した制御部５は、表示部７の表示画面に、再利用紙幣の投入を促す旨の文言、および入金取引の中止を指示するための「取消」ボタン等を表示した図１０に示す再利用紙幣投入画面を表示し、紙幣入出金部１０の入出金口１０ａのシャッタを開放してステップＳＣ２へ移行する。
【００６９】
ＳＣ２、再利用紙幣投入画面を表示した制御部５は、店主が紙幣を入出金口１０ａへ投入したことを入出金口１０ａに設けられた図示しない投入検知センサが検知するのを待って待機し、投入検知センサが紙幣の投入を検知した後に、所定の時間の経過を確認したときに、紙幣が投入されたことを判定してステップＳＣ３へ移行する。
投入検知センサが紙幣の投入を検知しない場合は、ステップＳＣ１へ戻って再利用紙幣投入画面を表示しながらステップＳＣ１、ＳＣ２による待機を継続する。
【００７０】
なお、前記の待機の間に店主が「取消」ボタンを選択した場合は、制御部５は入金取引の中止を判定して図７のステップＳＢ２２へ移行し、ジャーナル記録部１１により取引内容の取引履歴情報をジャーナル用紙に印字して入金取引を終了させ、ステップＳＢ１へ戻って取引選択画面を表示して待機する。
ＳＣ３、紙幣が投入されたことを判定した制御部５は、上記実施例１のステップＳ７と同様にして、投入された再利用紙幣を一時保留部１６に集積する紙幣取込処理を実行する。
【００７１】
ＳＣ４、再利用紙幣の取込処理の終了を判定した制御部５は、上記実施例１のステップＳ８と同様にして、金種別の取込枚数から算出した投入金額、および投入金額の確認を指示するための「確認」ボタン、入金取引を中止して取込んだ紙幣の返却を指示するための「取消」ボタンを表示した図１１に示す投入金額確認画面を表示する。
顧客は、入力部８のタッチパネル８ｂによって、投入金額の確認を指示するときは「確認」ボタンを、入金取引の中止を指示するときは「取消」ボタンを選択する。
【００７２】
ＳＣ５、制御部５は、店主が「確認」ボタンを選択したときは、再利用紙幣の投入金額が確認されたことを判定してステップＳＣ６へ移行する。
顧客が「取消」ボタンを選択したときは、取込んだ再利用紙幣の返却を判定して、接続子Ｄを介して図７のステップＳＢ１３へ移行し、ステップＳＢ１３、ＳＢ１４による紙幣返却処理を実行する。
【００７３】
ＳＣ６、店主が再利用紙幣の投入金額を確認したことを判定した制御部５は、上記実施例１のステップＳ１３と同様にして、入金された再利用紙幣を紙幣収納庫１７に金種別に収納する紙幣収納処理を実行する。
ＳＣ７、再利用紙幣を紙幣収納庫１７に収納した制御部５は、表示部７の表示画面に、非利用紙幣の投入を促す旨の文言、および入金取引の中止を指示するための「取消」ボタン等を表示した図１２に示す非利用紙幣投入画面を表示し、紙幣入出金部１０の入出金口１０ａのシャッタを開放してステップＳＣ８へ移行する。
【００７４】
ＳＣ８、非利用紙幣投入画面を表示した制御部５は、店主が「取消」ボタンを選択するのを待って待機し、店主が「取消」ボタンを選択したときに、ステップＳＣ１０へ移行する。店主が「取消」ボタンを選択しない場合は、ステップＳＣ９へ移行する。
ＳＣ９、非利用紙幣投入画面を表示した制御部５は、店主が紙幣を入出金口１０ａへ投入したことを入出金口１０ａに設けられた図示しない投入検知センサが検知するのを待って待機し、投入検知センサが紙幣の投入を検知した後に、所定の時間の経過を確認したときに、紙幣が投入されたことを判定してステップＳＣ１１へ移行する。
【００７５】
投入検知センサが紙幣の投入を検知しない場合は、ステップＳＣ７へ戻って非利用紙幣投入画面を表示しながらステップＳＣ７、ＳＣ８、ＳＣ９による待機を継続する。
ＳＣ１０、再利用紙幣の入金金額の確認後に入金取引の中止を判定した制御部５は、取引カードへの書込情報をカード取扱部９へ送って取引カードへ書込み、明細票への再利用紙幣の取引内容の印字情報をカード取扱部９へ送って明細票に印字し、表示部７の表示画面に明細票や取引カードの受取りを促す旨の文言を表示して、取引カードや明細票をカード取扱部９のカード挿入口９ａから排出し、店主がこれらを受取ったことを確認してステップＳＣ１６へ移行する。
【００７６】
ＳＣ１１、紙幣が投入されたことを判定した制御部５は、上記実施例１のステップＳ７と同様にして、投入された非利用紙幣を一時保留部１６に集積する紙幣取込処理を実行する。
ＳＣ１２、非利用紙幣の取込処理の終了を判定した制御部５は、上記実施例１のステップＳ８と同様にして、金種別の取込枚数から算出した投入金額、および投入金額の確認を指示するための「確認」ボタン、入金取引を中止して取込んだ紙幣の返却を指示するための「取消」ボタンを表示した図１１に示す投入金額確認画面を表示する。
【００７７】
顧客は、入力部８のタッチパネル８ｂによって、投入金額の確認を指示するときは「確認」ボタンを、入金取引の中止を指示するときは「取消」ボタンを選択する。
ＳＣ１３、制御部５は、店主が「確認」ボタンを選択したときは、非利用紙幣の投入金額が確認されたことを判定してステップＳＣ１７へ移行する。
顧客が「取消」ボタンを選択したときは、取込んだ非利用紙幣の返却を判定してステップＳＣ１４へ移行する。
【００７８】
ＳＣ１４、非利用紙幣の投入後に入金取引の中止を判定した制御部５は、上記実施例１のステップＳ１０と同様にして、店主が投入した非利用紙幣の紙幣返却処理を実行する。
ＳＣ１５、店主に返却する非利用紙幣の入出金口１０ａへの集積を終えた制御部５は、取引カードへの書込情報をカード取扱部９へ送って取引カードへ書込み、明細票への再利用紙幣の取引内容の印字情報をカード取扱部９へ送って明細票に印字し、表示部７の表示画面に紙幣や明細票、取引カードの受取りを促す旨の文言を表示して、取引カードや明細票をカード取扱部９のカード挿入口９ａから排出すると共に入出金口１０ａのシャッタを開放する。
【００７９】
その後、制御部５は、店主がこれらを受取ったことを確認し、入出金口１０ａのシャッタを閉鎖してステップＳＣ１６へ移行する。
ＳＣ１６、取引カード等の受取りを確認した制御部５は、ホストコンピュータ２との入金取引の交信処理を実行するために、記憶部６に保存した取引カードのカード情報に、確認された再利用紙幣の入金金額等を添付した取引電文を通信回線３を介してホストコンピュータ２へ送信し、入金取引の終了を判定して、接続子Ｅを介して図７のステップＳＢ２２へ移行し、ジャーナル記録部１１により取引内容の取引履歴情報をジャーナル用紙に印字して入金取引を終了させ、ステップＳＢ１へ戻って取引選択画面を表示して待機する。
【００８０】
この場合に、取引電文を受信したホストコンピュータ２は、カード情報を基に顧客情報を検索して店主の顧客情報の口座に確認された再利用紙幣の入金金額を加えて顧客情報の口座残高を更新する。
ＳＣ１７、小売店の店主が非利用紙幣の投入金額を確認確認したことを判定した制御部５は、上記実施例１のステップＳ１４と同様にして、小売店の店主が入金した非利用紙幣を出金リジェクト庫１８に収納する紙幣収納処理を実行する。
【００８１】
ＳＣ１８、入金された非利用紙幣の収納処理を終えた制御部５は、取引カードへの書込情報をカード取扱部９へ送って取引カードへ書込み、明細票への再利用紙幣と非利用紙幣の取引内容の印字情報をカード取扱部９へ送って明細票に印字し、表示部７の表示画面に明細票や取引カードの受取りを促す旨の文言を表示して、取引カードや明細票をカード取扱部９のカード挿入口９ａから排出し、顧客がこれらを受取ったことを確認してステップＳＣ１９へ移行する。
【００８２】
ＳＣ１９、取引カード等の受取りを確認した制御部５は、ホストコンピュータ２との入金取引の交信処理を実行するために、記憶部６に保存した取引カードのカード情報に、確認された再利用紙幣と非利用紙幣との入金金額の合計金額等を添付した取引電文を通信回線３を介してホストコンピュータ２へ送信し、入金取引の終了を判定して、接続子Ｅを介して図７のステップＳＢ２２へ移行し、ジャーナル記録部１１により取引内容の取引履歴情報をジャーナル用紙に印字して入金取引を終了させ、ステップＳＢ１へ戻って取引選択画面を表示して待機する。
【００８３】
この場合に、取引電文を受信したホストコンピュータ２は、カード情報を基に顧客情報を検索して店主の顧客情報の口座に確認された再利用紙幣と非利用紙幣との入金金額の合計金額を加えて顧客情報の口座残高を更新する。
このようにして、本実施例の入金取引における売上金入金処理が実行される。
上記のように、本実施例の売上金入金処理においては、自動取引装置１が設置されている小売店の店主による入金取引の場合に、分別入金をするか否かを選択することができるので、分別入金を選択した場合は、再利用紙幣と非利用紙幣との投入を連続させて１つの入金取引で行うことができ、再利用紙幣と非利用紙幣とを分けて入金する場合の入金取引に要する時間を短縮することができる。
【００８４】
また、分別入金を選択したかった場合は、上記実施例２と同様の効果を得ることができる。
以上説明したように、本実施例では、上記実施例２と同様の効果に加えて、自動取引装置が設置されている小売店の店主による入金取引の場合に、入金される紙幣の、再利用紙幣と非利用紙幣との分別投入の要否を選択可能に表示した分別投入要否選択画面を表示し、分別投入の必要が選択されたときは、再利用紙幣と非利用紙幣との投入を連続させて１つの入金取引でおこなうことができ、再利用紙幣と非利用紙幣とを分けて入金する場合の入金取引に要する時間を短縮することができる。
【符号の説明】
【００８５】
１    自動取引装置
２    ホストコンピュータ
３    通信回線
５    制御部
６    記憶部
７    表示部
８    入力部
９    カード取扱部
９ａ  カード挿入口
１０  紙幣入出金部
１０ａ  入出金口
１１  ジャーナル記録部
１２  電源部
１４、１４ａ〜１４ｇ  搬送路
１５  鑑別部
１６  一時保留部
１７、１７ａ〜１７ｃ  紙幣収納庫
１８  出金リジェクト庫
【図１】
2010176642.tif 000003
【図２】
2010176642.tif 000004
【図３】
2010176642.tif 000005
【図４】
2010176642.tif 000006
【図５】
2010176642.tif 000007
【図６】
2010176642.tif 000008
【図７】
2010176642.tif 000009
【図８】
2010176642.tif 000010
【図９】
2010176642.tif 000011
【図１０】
2010176642.tif 000012
【図１１】
2010176642.tif 000013
【図１２】
2010176642.tif 000014